(57)【要約】      （修正有）【課題】放送波を受信する際に、受信対象外の復調ＬＳＩからの妨害による受信性能劣化を抑制する。【解決手段】復調ＬＳＩ内に、衛星動作クロック１２４とその動作クロックを生成する衛星位相比較器１２５と衛星ループフィルタ１２６と衛星ＶＣＯ１２７と衛星分周器１２８を備える。復調ＬＳＩとシステムＬＳＩ１１６とは接続されており、システムＬＳＩ１１６から、動作設定を指示することで衛星動作クロック１２４の周波数を変更する。衛星復調部１２０、衛星誤り訂正部１２１、衛星ＴＳ出力部１２３は、衛星動作クロック１２４により動作するため、システムＬＳＩ１１６から復調ＬＳＩの衛星動作クロック１２４を低くするように指示することで、受信対象外となる放送波に対応した復調ＬＳＩ動作クロックもより低くし、干渉妨害の発生を抑制する。【選択図】図１
2013090168.tif 000002
【特許請求の範囲】
【請求項１】
衛星放送を受信する衛星放送受信部と、
前記衛星放送受信部から受信したデジタル衛星放送信号を復調し、復号する衛星放送復調部と、
地上波放送を受信する地上波放送受信部と、
前記地上波放送受信部から受信したデジタル地上波放送信号を復調し、復号する地上波放送復調部と、
前記衛星放送復調部と前記地上波放送受信部とを制御する制御部とを備え、
前記制御部は、前記地上波放送または前記衛星放送のいずれかを受信中に、受信している放送波とは異なる放送波に対する前記衛星放送復調部または前記地上波放送復調部に対して、受信時よりは低い動作クロックで動作することを示す指示を行うことを特徴とするテレビジョン受信装置。
【請求項２】
前記衛星放送復調部および前記地上波放送受信部は、放送を受信するために必要な初期情報を維持する動作を行うことが少なくとも必要であることを特徴とする、請求項１記載のテレビジョン受信装置。
【請求項３】
前記制御部は、前記地上波放送を受信する際には、前記衛星放送の受信周波数と、前記衛星放送復調部の動作クロックの周波数を、前記地上波放送復調部と干渉しない周波数に設定することを特徴とする請求項１記載のテレビジョン受信装置。
【発明の詳細な説明】
【技術分野】
【０００１】
本発明は地上波放送、衛星放送、ケーブル放送を受信するテレビ、セットトップボックス、レコーダーなどのテレビジョン受信装置に関するものである。
【背景技術】
【０００２】
近年放送のデジタル化が世界的に進んでいる。そのためテレビには、地上アナログ放送のみではなく、地上デジタル放送、衛星デジタル放送、ケーブル放送等複数の放送波を受信する必要がある。そのため、テレビは一つ以上の放送受信部と一つ以上の放送復調部を搭載している（例えば、特許文献１参照）。
【０００３】
また、テレビの画像表示部は大型化が進んでいるが、筐体部分は薄型になり、テレビと同じ受信機能を持つレコーダーは小型に進むことが予測される。そのため、電気電子部品の多くは小型となり、複数の機能を有し、一体となったものが多くなっている。図２は、（特許文献１）に記載された従来のテレビジョン受信装置を示すものである。
【０００４】
図２において、地上放送入力部１０１は、外部のアンテナで受信した信号や、その他の伝送路からＶＨＦ帯、ＵＨＦ帯の信号を受信する。チューナブルフィルタ１０２は選局された信号を中心に周波数帯域ごと信号を切り出す。切り出された信号は、地上利得増幅器１１０によって所望の大きさに調整される。地上波局部発振回路１０３は、選局された周波数よりもある一定の高い周波数を足し合わせた局部発振周波数信号を発生させる。周波数変換回路１０４は、局部発振周波数信号と、選局された信号を中心に切り出された信号と混合した中間周波数信号を生成する。中間周波数は、地上波用フィルタ１０５で、周波数成分を切り出し、地上波用可変利得増幅器１０６で所望のレベルとする。その後に復調ＬＳＩ１０７によって、地上アナログ放送の場合はアナログ復調を、デジタル放送の場合は復調と誤り訂正とを行う。
【０００５】
同様に衛星放送の場合について説明する。衛星放送入力部１０８は、外部のパラボラアンテナ等を通じて、衛星放送の信号を受信する。ハイパスフィルタ１０９は、信号のうち受信に必要な１ＧＨｚ以上の信号を通過させる。低雑音増幅器１１１は、信号を一定の利得で増幅する。その後、衛星局部発振回路１１２で生成された衛星局部発振周波数信号と混合された後、衛星周波数変換回路１１３によって、数１０ＭＨｚのＩＱ信号に変換される。ＩＱ信号はハイパスフィルタ１１４に帯域制限された後に、衛星可変利得増幅器１１５で所望のレベルとする。その後に復調ＬＳＩ１０７にて、復調と誤り訂正が行われる。衛星放送の種類によって、復調ＬＳＩ１０７は、衛星放送用復調回路と地上波放送用復調回路とが一体となった集積回路（ＩＣ）として構成される場合がある。また、衛星放送用復調回路と、地上波放送用復調回路とが、それぞれ異なるＩＣを使用して構成され、これら複数のＩＣ等を含めた回路ブロックを復調ＬＳＩ１０７として構成する場合もある。
【０００６】
地上波放送、衛星放送ともに復調ＬＳＩ１０７の後に、復調された信号はシステムＬＳＩ１１６によって映像データや音声データに変換される。
【０００７】
スピーカ１１７は音声データを人間に聞こえるように変換し、映像表示器１１８は映像データをＰＤＰ（Ｐｌａｓｍａ  Ｄｉｓｐｌａｙ  Ｐａｎｅｌ）やＬＣＤ（Ｌｉｑｕｉｄ  Ｃｒｙｓｔａｌ  Ｄｉｓｐｌａｙ）といった表示デバイスに表示する。
【０００８】
小型化のため、テレビは地上波放送、衛星放送の受信機能を一体化したチューナ１１９と構成することがある。また、チューナ１１９は小型化のため地上波放送受信部と衛星放送受信部が同一の金属ケースの中で構成されており密接に実装されることがある。このため、互いの局部発振回路である地上波局部発振回路１０３と、衛星局部発振回路１１２との間で、発振またはその発振周波数の二倍高調波や三倍高調波が放送周波数帯域と重なるため干渉妨害となる。そこで地上波局部発振回路１０３と衛星局部発振回路１１２は、その高調波等が放送周波数帯域と重ならないように制御をしていた。
【先行技術文献】
【特許文献】
【０００９】
【特許文献１】特開２００６−２５３８８５号公報
【発明の概要】
【発明が解決しようとする課題】
【００１０】
しかしながら、前記従来の構成では、一つの放送波を受信している時に、受信対象外の受信部は、受信対象に対して直接または高調波の周波数妨害が重なり合わないようにする発振周波数を制御しているが、テレビの小型薄型と共にチューナのケース内に復調ＬＳＩを実装するケースも多くなった。復調ＬＳＩはデジタル放送が進化したために復調ＬＳＩ自身を発振している周波数とその高調波が干渉妨害となる課題を有していた。
【課題を解決するための手段】
【００１１】
前記従来の課題を解決するために、本発明のテレビジョン受信装置は、受信部と復調部を少なくとも二つ以上と、それぞれの受信部と復調部とを制御できる制御部を備え、制御部からは復調部に対して動作クロックの変更を有している。
【００１２】
本構成によって、一つの放送波を受信する時、受信対象外の復調部には動作クロックを低く設定する。
【００１３】
また、本発明のテレビジョン受信装置は、受信するために復調部の設定情報を保持することを必要としたものである。
【発明の効果】
【００１４】
本発明のテレビジョン受信装置によれば、放送波を受信する時に、受信対象外の復調部からの妨害による受信性能劣化の抑制に有効である。
【図面の簡単な説明】
【００１５】
【図１】実施の形態におけるテレビジョン受信装置の実施構成図
【図２】従来のテレビジョン受信装置の実施構成図
【図３】実施の形態における地上波受信のフローチャート
【発明を実施するための形態】
【００１６】
以下、本発明を実施するための実施の形態について、図面を参照しながら説明する。
【００１７】
（実施の形態）
図１は本発明の実施の形態におけるテレビジョン受信装置の構成図である。
【００１８】
まず地上波放送の受信の場合について説明する。
【００１９】
地上放送入力部１０１は、外部のアンテナで受信した信号や、その他の伝送路からＶＨＦ帯、ＵＨＦ帯の信号を受信する。
【００２０】
チューナブルフィルタ１０２は選局された信号を中心に周波数帯域ごと信号を切り出す。
【００２１】
切り出された信号は、地上利得増幅器１１０によって所望の大きさに調整される。
【００２２】
地上波局部発振回路１０３は、選局された周波数よりもある一定の高い周波数を足し合わせた局部発振周波数信号を発生させる。
【００２３】
周波数変換回路１０４は、局部発振周波数信号と、選局された信号を中心に切り出された信号と混合した中間周波数信号を生成する。中間周波数は、地上波用フィルタ１０５で、周波数成分を切り出し、地上波用可変利得増幅器１０６で所望のレベルとする。
【００２４】
その後に復調ＬＳＩ２０７によって、地上アナログ放送の場合はアナログ復調を、デジタル放送の場合は復調と誤り訂正とを行う。復調ＬＳＩ２０７の構成については、後述する。
【００２５】
同様に衛星放送の受信の場合について説明する。衛星放送入力部１０８は、外部のパラボラアンテナ等を通じて、衛星放送の信号を受信する。
【００２６】
ハイパスフィルタ１０９は、信号のうち受信に必要な１ＧＨｚ以上の信号を通過させる。
【００２７】
低雑音増幅器１１１は、信号を一定の利得で増幅する。
【００２８】
その後、衛星局部発振回路１１２で生成された衛星局部発振周波数信号と混合された後、衛星周波数変換回路１１３によって、数１０ＭＨｚのＩＱ信号に変換される。
【００２９】
ＩＱ信号はハイパスフィルタ１１４に帯域制限された後に、衛星可変利得増幅器１１５で所望のレベルとする。その後に復調ＬＳＩ２０７にて、復調と誤り訂正が行われる。
【００３０】
衛星放送の種類によって、復調ＬＳＩ２０７は、衛星放送用復調回路と地上波放送用復調回路とが一体となった集積回路（ＩＣ）として構成される場合がある。また、衛星放送用復調回路と、地上波放送用復調回路とが、それぞれ異なるＩＣを使用して構成され、これら複数のＩＣ等を含めた回路ブロックを復調ＬＳＩ１０７として構成する場合もある。
【００３１】
地上波放送、衛星放送ともに復調ＬＳＩ２０７の後に、復調された信号はシステムＬＳＩ１１６によって映像データや音声データに変換される。
【００３２】
スピーカ１１７は音声データを人間に聞こえるように変換し、映像表示器１１８は映像データをＰＤＰ（Ｐｌａｓｍａ  Ｄｉｓｐｌａｙ  Ｐａｎｅｌ）やＬＣＤ（Ｌｉｑｕｉｄ  Ｃｒｙｓｔａｌ  Ｄｉｓｐｌａｙ）といった表示デバイスに表示する。
【００３３】
復調ＬＳＩ２０７は、衛星放送の復調用に衛星復調部１２０、衛星誤り訂正部１２１、衛星ＴＳ出力部１２３、衛星位相比較器１２５、衛星ループフィルタ１２６、衛星ＶＣＯ１２７、衛星分周器１２８とから構成される（衛星放送復調処理部３００）。また地上波放送の復調用に地上波復調部１３０、地上波誤り訂正部１３１、地上波ＴＳ出力部１３３、地上波位相比較器１３５、地上波ループフィルタ１３６、地上波ＶＣＯ１３７、地上波分周器１３８とから構成される。
【００３４】
衛星復調部１２０は、衛星放送の選局された信号であるＩＱ信号を復調する。
【００３５】
衛星誤り訂正部１２１は、衛星復調部１２０にて復調された信号に対して誤りを訂正する。
【００３６】
衛星ＴＳ出力部１２３は、誤り訂正を行ったデジタル信号をＴＳ（Ｔｒａｎｓｐｏｒｔ  Ｓｔｒｅａｍ）として出力する。衛星デジタル放送は高容量伝送を行うことが可能となっている。２００５年にＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）  ＥＮ３０２３０７として規格発行されたＤＶＢ−Ｓ２という衛星デジタル放送では４５Ｍシンボルレートを使うことで一般の放送用途で１秒あたり１２０Ｍｂｉｔ近くの伝送が可能になっている。そのため受信時には高容量伝送を実現するための高速クロックで動作している。この高速クロックは、衛星ＶＣＯ１２７から供給される衛星動作クロック１２４を用いる。
【００３７】
衛星ＶＣＯ１２７から出力される衛星動作クロック１２４は、高容量伝送を実現するための高速クロックであり、衛星復調部１２０や衛星誤り訂正部１２１等を動作させるためにも使用している。１秒当たり１２０Ｍｂｉｔの伝送のためには衛星動作クロック１２４は１２０ＭＨｚ以上が必要である。また、衛星復調部１２０や衛星誤り訂正部１２１でも最終出力されるＴＳと同じ処理能力が必要だが、内部で約１０％処理に対して間接的に負荷が発生する。これは復調や誤り訂正処理が仕組み上一定の期間まとめてブロック単位で処理する必要があるためである。そのため動作クロックを１３５ＭＨｚとすると、ヨーロッパに用いられているＣＣＩＲ（Ｃｏｍｉｔｅ  Ｃｏｎｓｕｌｔａｔｉｆ  Ｉｎｔｅｒｎａｔｉｎａｌ  Ｒａｄｉｏｐｈｏｎｉｑｕｅ）方式のチャンネル配置におけるＣＣ５と呼ばれる映像搬送周波数が１３３．２５ＭＨｚのチャンネルと重なり、また、ＣＣ１７と呼ばれる映像搬送周波数が２７３．２５ＭＨｚに対しては二倍高調波と重なるため干渉妨害となる。
【００３８】
衛星動作クロック１２４は、ＰＬＬ（Ｐｈａｓｅ  Ｌｏｃｋｅｄ  Ｌｏｏｐ）回路で出力周波数を決定している。衛星ＶＣＯ(Ｖｏｌｔａｇｅ  Ｃｏｎｔｒｏｌｌｅｄ  Ｏｓｃｉｌｌａｔｏｒ)１２７から出た信号は、動作クロックとして使用するほかに、衛星分周器１２８に入力する。
【００３９】
衛星分周器１２８は、衛星動作クロック１２４と同じ周波数信号を分周する。
【００４０】
衛星位相比較器１２５は、この分周された信号を基準信号と比較し位相差を出力する。基準信号を水晶発振器１２９から出力される信号とすることで水晶発振器１２９から出力される信号を分周された信号の二つの信号の位相差を比較するものである。
【００４１】
衛星ループフィルタ１２６は、この位相差を、衛星ＶＣＯ１２７を制御する信号に変換する。衛星ＶＣＯ１２７は電圧制御によって出力される信号の周波数を変更することが可能となっている。
【００４２】
水晶発振器１２９は一定の周波数で発振する部品であり、ＩＣにおける基準の周波数を決める。原材料が異なるため、部品の価格を考えると、電子基板上にて復調ＬＳＩ２０７とは別の部品で実装されている。
【００４３】
衛星位相比較器１２５において入力された信号の位相差がないときとは、二つの信号が同一であることになり、その周波数は等しいものとなる。水晶発振器１２９からの発振信号と衛星分周器１２８からの信号を比較した、衛星位相比較器１２５の出力は時間ごとの位相差であり、衛星ループフィルタ１２６によって直流成分に変更する。ここで直流成分に変更する時に、位相差が小さくなるようにフィルタを作成し直流成分によって衛星ＶＣＯ１２７の電圧制御を変える。これによって、衛星位相比較器１２５、衛星ループフィルタ１２６、衛星ＶＣＯ１２７と衛星分周器１２８からなるフィードバックでは衛星分周器１２８からの信号と水晶発振器１２９の信号の周波数が等しいものになる。
【００４４】
衛星分周器１２８が入力された信号に対して１／Ｎ倍することができるとする。Ｎは自然数をとることが一般的であるが、衛星ＶＣＯ１２７の電圧制御の可変範囲、衛星ループフィルタ１２６の特性で設定できる数値がきまる。この数値はシステムＬＳＩ１１６から復調ＬＳＩ２０７のレジスタを書き換えることで変更する。衛星分周器１２８が１／Ｎ倍する信号は衛星動作クロック１２４である。衛星ＶＣＯ１２７で電圧制御された動作クロックは水晶の発振クロックのＮ倍ということになるため、システムＬＳＩ１１６から制御することによって動作クロックを変更することが可能となる。
【００４５】
地上波放送の復調用に、復調ＬＳＩ２０７は、地上波位相比較器１３５、地上波ループフィルタ１３６、地上波ＶＣＯ１３７、地上波分周器１３８、地上波復調部１３０、地上波誤り訂正部１３１、地上波ＴＳ出力部１３３とから構成される（地上波放送復調処理部３１０）。
【００４６】
地上波復調部１３０、地上波誤り訂正部１３１、地上波ＴＳ出力部１３３を動作させるための地上波動作クロック１３４を、地上波ＶＣＯ１３７から供給する。地上波放送でも、衛星放送を受信する場合と同じ仕組みを、地上波位相比較器１３５、地上波ループフィルタ１３６、地上波ＶＣＯ１３７、地上波分周器１３８により構成する。地上波位相比較器１３５、地上波ループフィルタ１３６、地上波ＶＣＯ１３７、地上波分周器１３８を使用することにより、システムＬＳＩ１１６から地上波分周器１３８の設定を復調ＬＳＩ２０７のレジスタ制御することにより、地上波動作クロック１３４を変更することが出来る。
【００４７】
地上波復調部１３０は、地上波放送の選局された信号の周波数成分を復調する。
【００４８】
地上波誤り訂正部１３１は、地上波復調部１３０にて復調された信号に対して誤りを訂正する。
【００４９】
地上波ＴＳ出力部１３３は、誤り訂正を行ったデジタル信号をＴＳとして出力する。
【００５０】
衛星放送を受信する際には、システムＬＳＩ１１６から復調ＬＳＩ２０７のレジスタを変更することで、衛星動作クロック１２４を１３５ＭＨｚの高速動作クロックにする。
【００５１】
地上デジタル放送の場合、例えば日本で用いられているＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）の場合、１秒当たり約１６Ｍｂｉｔの伝送のため、衛星放送の１秒当たりのレートより低い。そのため、地上波誤り訂正部１３１や地上波ＴＳ出力部１３３は、衛星放送受信する時と同じような衛星動作クロック１２４にする必要はない。
【００５２】
衛星放送の場合は、放送信号を取り込むには４５Ｍシンボルレートのため、４５ＭＨｚのＩＱ信号と考えても半分の２５ＭＨｚ必要となるが、日本における地上デジタル放送の帯域幅６ＭＨｚであり、地上波復調部１３０は地上波誤り訂正部１３１、地上波ＴＳ出力部１３３と同じく衛星動作クロック１２４にする必要はない。
【００５３】
以上のように、地上波復調部１３０、地上波誤り訂正部１３１や、地上波ＴＳ出力部１３３が必要とする動作クロックは、衛星動作クロック１２４よりも低くすることができる。このため、地上波動作クロック１３４は、衛星動作クロック１２４とは別系統とし低クロックにする。地上波誤り訂正部１３１や地上波ＴＳ出力部１３３が破綻せず、電力を削減するために、地上波動作クロック１３４を低くすることが可能となる。
【００５４】
地上アナログ放送の場合、地上波誤り訂正部１３１や地上波ＴＳ出力部１３３は動作しないため、放送信号を取り込む分の地上波動作クロック１３４のみすることができる。
【００５５】
このような構成によれば、地上波放送を受信する際に、衛星受信機能に用いる復調ＬＳＩ２０７の衛星動作クロック１２４を、地上波放送の受信帯域内より低くすることが可能となり、地上波放送の干渉妨害による受信性能劣化を抑制することができる。衛星動作クロック１２４を、地上放送波の受信帯域周波数の範囲よりも低くし、また基本波だけではなく、二倍高調波や三倍高調波等までも受信帯域周波数に入らなくすることにより干渉妨害に影響されるチャンネルを少なくすることができる。
【００５６】
また、衛星動作クロック１２４は、衛星誤り訂正部１２１や、衛星復調部１２０、衛星ＴＳ出力部１２３の機能を動作させている。機能を動作させる電力はクロックと共に消費されるために、衛星動作クロック１２４を低くすることで、復調ＬＳＩ２０７の消費電力を削減することが可能となる。
【００５７】
復調ＬＳＩ２０７は、システムＬＳＩ１１６からの制御により各機能の設定を変更することが可能である。
【００５８】
各機能部は初期の状態ではなく、設定を変更し受信するための設定を行う。複数の受信機能をもったＴＶの場合は使用者の操作に合わせて、地上波放送や衛星放送の切り替え動作を行う。その場合には地上波放送を受信する場合には衛星放送を受けられる状態を保持したまま、衛星動作クロック１２４を低くする。その後地上波放送を受信する。逆に衛星放送を受信する場合には衛星動作クロック１２４を所定の周波数に戻した後に、衛星放送を受信する。
【００５９】
この動作を組み込むことで、地上波放送を受信する時に、衛星放送の設定を保持し続けることができるために再設定を抑制することで使用者からの地上波放送や衛星放送の切り替え動作に対する反応を高速に行うことが可能となる。
【００６０】
復調ＬＳＩ２０７は、地上衛星対応のＬＳＩを想定したが、地上デジタル放送対応のＬＳＩや地上アナログ放送対応のＬＳＩと組み合わせて使用するときも動作クロックを変更することで、干渉と消費電力を削減することが可能となる。衛星放送対応のＬＳＩでは、地上波受信中には衛星誤り訂正部１２１、衛星復調部１２０、衛星ＴＳ出力部１２３の設定を保持したまま衛星動作クロック１２４を低くすることで同様の動作をすることが可能である。
【００６１】
図３を用いて、地上波放送を受信する際の処理について説明する。
【００６２】
地上波放送を受信する場合には、チューナブルフィルタ１０２の設定を行い、地上波の選局を行う（Ｓ３０１）。
【００６３】
地上波動作クロック１３４を所望の周波数となるように、また、地上波復調部１３０、地上波誤り訂正部１３１、地上波ＴＳ出力部１３３を動作するように、システムＬＳＩ１１６から復調ＬＳＩ２０７に対して設定、制御を行う（Ｓ３０２）。
【００６４】
ハイパスフィルタ１０９などを設定して、地上波放送波と干渉しない周波数を衛星放送の受信用周波数として選局する（Ｓ３０３）。
【００６５】
衛星動作クロック１２４を、地上波放送の受信周波数帯とは異なるように、システムＬＳＩ１１６から復調ＬＳＩ２０７の設定を行う（Ｓ３０４）。
【００６６】
さらに、衛星復調部１２０、衛星誤り訂正部１２１、衛星ＴＳ出力部１２３の動作をスタンバイにする（Ｓ３０５）。
【００６７】
以上のフローにより、地上波放送を受信する際に、衛星放送の受信に伴う干渉を低減することができる。
【００６８】
本実施の形態では、衛星動作クロック１２４と地上波動作クロック１３４を２つ持つ場合について説明した。さらに、より安価な構成を考えた場合には、衛星位相比較器１２５、衛星ループフィルタ１２６、衛星ＶＣＯ１２７、衛星分周器１２８とからなるフィードバック回路と、地上波位相比較器１３５、地上波ループフィルタ１３６、地上波ＶＣＯ１３７、地上波分周器１３８とからなるフィードバック回路とを、ひとつにした同一のフィードバック回路として構成することもできる。このとき、同一のフィードバック回路の周波数可変範囲を広げ、出力される１つの動作クロックとする。このとき、ＶＣＯから出力される動作クロックは、さらに、衛星側の動作クロックとして供給される前に分周器を１つ、また、地上波側の動作クロックとして供給される前に分周器を１つ設ける。これにより、衛星放送と地上波放送とで、異なった動作クロックを生成できる。このとき、追加した分周器を１／Ｍ倍するとすると、水晶の発振周波数に対して動作クロックをＭ／Ｎ倍することにあたるため、同様の効果を得られる。
【産業上の利用可能性】
【００６９】
本発明にかかるテレビジョン受信装置は、放送波を受信する時に、受信対象外の復調ＬＳＩからの妨害による受信性能劣化の抑制が可能になるので、地上波放送、衛星放送、ケーブル放送を受信するテレビ、セットトップボックス、レコーダーなどとして有用である。
【符号の説明】
【００７０】
１０１  地上放送入力部
１０２  チューナブルフィルタ
１０３  地上波局部発振回路
１０４  周波数変換回路
１０５  地上波用フィルタ
１０６  地上波用可変利得増幅器
１０７  復調ＬＳＩ
１０８  衛星放送入力部
１０９  ハイパスフィルタ
１１０  地上利得増幅器
１１１  低雑音増幅器
１１２  衛星局部発振回路
１１３  衛星周波数変換回路
１１４  ハイパスフィルタ
１１５  衛星可変利得増幅器
１１６  システムＬＳＩ
１１７  スピーカ
１１８  映像表示器
１１９  チューナ
１２０  衛星復調部
１２１  衛星誤り訂正部
１２３  衛星ＴＳ出力部
１２４  衛星動作クロック
１２５  衛星位相比較器
１２６  衛星ループフィルタ
１２７  衛星ＶＣＯ
１２８  衛星分周器
１２９  水晶発振器
１３０  地上波復調部
１３１  地上波誤り訂正部
１３３  地上波ＴＳ出力部
１３４  地上波動作クロック
１３５  地上波位相比較器
１３６  地上波ループフィルタ
１３７  地上波ＶＣＯ
１３８  地上波分周器
２０７  復調ＬＳＩ
３００  衛星放送復調処理部
３１０  地上波放送復調処理部
【図１】
2013090168.tif 000003
【図２】
2013090168.tif 000004
【図３】
2013090168.tif 000005